(57)【要約】【課題】断熱材の補修・施工作業を作業者一人で行うことが可能で、しかも安全で作業コストを抑制することができる断熱材溶着施工治具を提供する。【解決手段】断熱材溶着施工治具は、支持部材１２に回動可能に支持された一対の断熱材挟持アーム２０，２１と、支持部材１２に摺動可能に支持された一本の断熱材溶解アーム２２とから構成されている。断熱材溶着施工作業者が一本の断熱材溶解アーム２２の摺動操作把手１１を前進操作して断熱材溶解手段１を断熱材１３に当接させ、断熱材１３を溶解した後に一本の断熱材溶解アーム２２の摺動操作把手１１を後進操作して断熱材溶解手段１を断熱材１３から退避させ、続いて一対の断熱材挟持アーム２０，２１の挟み操作把手８，９を操作して作用部３，６で断熱材１３を挟持することにより、断熱材１３の溶着施工を行う。【選択図】図５
2005030522.tif 000002
【特許請求の範囲】
【請求項１】
配管の周囲を取り囲んで設置される断熱材の溶着施工を行う際に用いられる断熱材溶着施工治具であって、
支持部材に回動可能に支持された一対の断熱材挟持アームと、
前記支持部材に摺動可能に支持された一本の断熱材溶解アームと、
を備え、
前記一対の断熱材挟持アームは、片端に断熱材を挟持するための作用部を備えるとともに、前記作用部の別端には断熱材溶着施工作業者が前記一対の断熱材挟持アームを挟み操作するための挟み操作把手を備え、
前記一本の断熱材溶解アームは、前記作用部と同側の端部に断熱材を溶解するための断熱材溶解手段を備えるとともに、前記断熱材溶解手段の別端には断熱材溶着施工作業者が前記一本の断熱材溶解アームを摺動操作するための摺動操作把手を備え、
断熱材溶着施工作業者が前記一本の断熱材溶解アームの摺動操作把手を前進操作して前記断熱材溶解手段を断熱材に当接させ、断熱材を溶解した後に前記一本の断熱材溶解アームの摺動操作把手を後進操作して前記断熱材溶解手段を断熱材から退避させ、続いて前記一対の断熱材挟持アームの挟み操作把手を操作して前記作用部で断熱材を挟持することにより、断熱材の溶着施工を行うことを特徴とする断熱材溶着施工治具。
【請求項２】
請求項１に記載の断熱材溶着施工治具において、
前記一対の断熱材挟持アームが備える前記作用部は、断熱材との接触面に滑り止め用のゴムが固定設置されていることを特徴とする断熱材溶着施工治具。
【請求項３】
請求項１又は２に記載の断熱材溶着施工治具において、
前記一本の断熱材溶解アームが備える前記断熱材溶解手段は、断熱材との接触面がヘラ状に構成されていることを特徴とする断熱材溶着施工治具。
【発明の詳細な説明】
【技術分野】
【０００１】
本発明は、配管の周囲を取り囲んで設置される断熱材の溶着施工を行う際に用いられる断熱材溶着施工治具に関するものである。
【背景技術】
【０００２】
ビル・工場施設や冷凍機等で使用される配管には、保温・保冷、結露・凍結防止用として断熱材を配管周囲に施工することが行われている。この断熱材には様々な種類があり、例えば、図６で示すようなシート状のもの、図７で示すような円筒形状を半割にしたもの、図８で示すような配管形状に合わせた形状のものなどがある。このような配管用断熱材の施工方法としては、配管の周囲を覆うように設置した断熱材をビニールテープで巻き付けて固定したり、断熱材の合わせ面を加熱することによって溶解し溶着させることが行われている。
【０００３】
また、配管の検査・メンテナンスを行う際には、いったん断熱材を切断し、検査・メンテナンス作業終了後に切断した断熱材を復旧施工するという作業を行っている。
【発明の開示】
【発明が解決しようとする課題】
【０００４】
しかしながら、従来の断熱材施工方法は、以下のような問題を有していた。
【０００５】
まず、断熱材をビニールテープで巻き付けて固定する場合には、大量のビニールテープを必要とするために、補修作業におけるコストアップの原因となっていた。また、この断熱材にビニールテープを巻き付ける作業は負荷が高く、配管が大きい場合は実施が困難である。
【０００６】
一方、断熱材の合わせ面を加熱することによって溶解し溶着させる方法では、断熱材を押さえておく作業者と断熱材を加熱溶解する作業者の二人で作業を行わなければならず、作業負荷の面および人件費の面で問題を有していた。
【０００７】
したがって、作業者一人でも簡単に配管用の断熱材補修・施工作業を行うことができ、しかも作業コストを削減することができる断熱材溶着施工治具が求められていた。
【０００８】
本発明は、上記のような課題を解決するために成されたものであり、作業者一人の操作によって断熱材の補修・施工作業を行うことができ、しかも作業コストを抑制することのできる断熱材溶着施工治具を提供するものである。
【課題を解決するための手段】
【０００９】
以上のような課題を解決するために、本発明に係る断熱材溶着施工治具は、配管の周囲を取り囲んで設置される断熱材の溶着施工を行う際に用いられる断熱材溶着施工治具であって、支持部材に回動可能に支持された一対の断熱材挟持アームと、前記支持部材に摺動可能に支持された一本の断熱材溶解アームと、を備え、前記一対の断熱材挟持アームは、片端に断熱材を挟持するための作用部を備えるとともに、前記作用部の別端には断熱材溶着施工作業者が前記一対の断熱材挟持アームを挟み操作するための挟み操作把手を備え、前記一本の断熱材溶解アームは、前記作用部と同側の端部に断熱材を溶解するための断熱材溶解手段を備えるとともに、前記断熱材溶解手段の別端には断熱材溶着施工作業者が前記一本の断熱材溶解アームを摺動操作するための摺動操作把手を備え、断熱材溶着施工作業者が前記一本の断熱材溶解アームの摺動操作把手を前進操作して前記断熱材溶解手段を断熱材に当接させ、断熱材を溶解した後に前記一本の断熱材溶解アームの摺動操作把手を後進操作して前記断熱材溶解手段を断熱材から退避させ、続いて前記一対の断熱材挟持アームの挟み操作把手を操作して前記作用部で断熱材を挟持することにより、断熱材の溶着施工を行うことを特徴とする。
【００１０】
また、本発明に係る断熱材溶着施工治具において、前記一対の断熱材挟持アームが備える前記作用部は、断熱材との接触面に滑り止め用のゴムが固定設置されていることを特徴とする。
【００１１】
さらに、本発明に係る断熱材溶着施工治具において、前記一本の断熱材溶解アームが備える前記断熱材溶解手段は、断熱材との接触面がヘラ状に構成されていることを特徴とする。
【発明の効果】
【００１２】
本発明の断熱材溶着施工治具を用いることによって、断熱材の補修・施工作業を作業者一人で行うことができ、しかも安全で作業コストを抑制した断熱材溶着施工作業を実現することができる。
【発明を実施するための最良の形態】
【００１３】
本発明の好適な実施の形態について、図を用いて説明する。図１は、本実施の形態に係る断熱材溶着施工治具の全体構成を示す外観図である。また、図２は、本実施の形態に係る断熱材溶着施工治具の側面を、図３は、図２中におけるＡ−Ａ断面を示す図である。さらに、図４は、本実施の形態に係る断熱材溶着施工治具の支持部材の形状を示す図である。
【００１４】
本実施の形態に係る断熱材溶着施工治具は、支持部材１２に回動可能に支持された一対の断熱材挟持アーム２０，２１と、前記支持部材１２に摺動可能に支持された一本の断熱材溶解アーム２２とから構成されている。支持部材１２は、図３および図４において詳細に示されているように、一対の断熱材挟持アーム２０，２１をハサミが有する構造の如く挟持して回動可能となすビス状の突起部１２ａと、一本の断熱材溶解アーム２２を導通して摺動可能に支持するための円形開口部１２ｂを備えている。なお、突起部１２ａと一対の断熱材挟持アーム２０，２１との間、および、円形開口部１２ｂと一本の断熱材溶解アーム２２との間のクリアランスについては、断熱材溶着施工治具の大きさや施工対象物の種類等によって適宜設定あるいは調整可能である。
【００１５】
一対の断熱材挟持アーム２０，２１は、片端に断熱材を挟持するための作用部３，６を備えるとともに、作用部３，６の別端には断熱材溶着施工作業者が一対の断熱材挟持アーム２０，２１を挟み操作するための挟み操作把手８，９が備えられている。したがって、一対の断熱材挟持アーム２０，２１は、丁度ハサミと同様の構造となっており、断熱材溶着施工作業者が挟み操作把手８，９を左右方向に操作することによって、支持部材１２を支点として作用部３，６が開閉することになる。
【００１６】
また、一対の断熱材挟持アーム２０，２１が備える作用部３，６は、断熱材との接触面に滑り止め用のゴム２，５が固定設置されている。このゴム２，５によって断熱材を安定して挟持することができるので、断熱材溶着施工作業を安全・確実に実行することが可能となる。
【００１７】
一方、一本の断熱材溶解アーム２２は、作用部３，６と同側の端部に断熱材を溶解するための断熱材溶解手段１を備えるとともに、断熱材溶解手段１の別端には断熱材溶着施工作業者が一本の断熱材溶解アーム２２を摺動操作するための摺動操作把手１１を備えている。したがって、断熱材溶着施工作業者が一本の断熱材溶解アーム２２を前後に摺動操作すると、断熱材溶解手段１が前後移動することが可能である。断熱材溶解手段１には、断熱材を溶解できるものであればどのようなものであっても良く、電熱線を用いたヒーター等を用いることができる。なお、この断熱材溶解手段１は、断熱材との接触面がヘラ状に構成されていることが好適である。このようなヘラ状の形状を採用することによって、スムーズな断熱材の溶解が可能となり、断熱材溶着施工の仕上がり面を美しくすることができる。
【００１８】
続いて、図５を用いて、本実施の形態に係る断熱材溶着施工治具の操作方法を説明する。図５は、実際に本実施の形態に係る断熱材溶着施工治具を用いて配管に断熱材を溶着施工する際における各部材の位置関係を示した図である。
【００１９】
断熱材溶着施工作業者が挟み操作把手８，９を矢印イ，ロの方向に握ることにより作用部３，６が矢印ニ，ハ方向に移動する。作用部３，６によって断熱材１３を軽く保持した状態で、断熱材溶着施工作業者が一本の断熱材溶解アーム２２の摺動操作把手１１を矢印ホとは逆方向に前進操作して断熱材溶解手段１を断熱材１３に当接させると、配管１４の周囲に仮設置された断熱材１３の断熱材溶解手段１との接触面が溶解される。断熱材１３が溶解したことを確認すると、断熱材溶着施工作業者は一本の断熱材溶解アーム２２の摺動操作把手１１を矢印ホの方向に後進操作して断熱材溶解手段１を断熱材１３から退避させ、続いて一対の断熱材挟持アーム２０，２１の挟み操作把手８，９を矢印イ，ロの方向にさらに握り操作して、作用部３，６で断熱材１３を挟持して溶解部を接触させることにより、断熱材１３の溶着施工が完了する。最後に、挟み操作把手８，９を矢印イ，ロとは逆の方向に解放操作して、断熱材１３の溶着施工作業が終了する。
【００２０】
以上のように、本実施の形態に係る断熱材溶着施工治具を用いることによって、従来、断熱材を押さえる作業者と断熱材を加熱する作業者という二人の作業者を必要としていた断熱材溶着施工作業を一人で行うことが可能となる。また、従来の作業と異なり、断熱材の溶解部周辺に手を置かなくても良いので火傷の心配が無くなり、安全に作業を行うことができるようになった。
【００２１】
なお、本実施の形態においては、円筒形状の配管に断熱材を設置する場合を例示しているが、どのような形状の配管であっても本実施の形態に係る断熱材溶着施工治具を用いることが可能である。
【図面の簡単な説明】
【００２２】
【図１】本実施の形態に係る断熱材溶着施工治具の全体構成を示す外観図である。
【図２】本実施の形態に係る断熱材溶着施工治具の側面図である。
【図３】図２中におけるＡ−Ａ断面を示す図である。
【図４】本実施の形態に係る断熱材溶着施工治具の支持部材の形状を示す図である。
【図５】実際に本実施の形態に係る断熱材溶着施工治具を用いて配管に断熱材を溶着施工する際における各部材の位置関係を示した図である。
【図６】従来の断熱材の形状を例示する図であり、シート状の断熱材を示している。
【図７】従来の断熱材の形状を例示する図であり、円筒形状を半割にした断熱材を示している。
【図８】従来の断熱材の形状を例示する図であり、配管形状に合わせた形状の断熱材を示している。
【符号の説明】
【００２３】
１  断熱材溶解手段、２，５  ゴム、３，６  作用部、８，９  挟み操作把手、１１  摺動操作把手、１２  支持部材、１２ａ  突起部、１２ｂ  円形開口部、１３  断熱材、１４  配管、２０，２１  一対の断熱材挟持アーム、２２  一本の断熱材溶解アーム。
【図１】
2005030522.tif 000003
【図２】
2005030522.tif 000004
【図３】
2005030522.tif 000005
【図４】
2005030522.tif 000006
【図５】
2005030522.tif 000007
【図６】
2005030522.tif 000008
【図７】
2005030522.tif 000009
【図８】
2005030522.tif 000010